(57)【要約】【課題】取り付け作業が行い易く、意匠性に優れた壁パネルの止水構造及び壁パネルの設置方法を提供する。【解決手段】本発明の壁パネルの止水構造（１）は、隣接配置されて取り付けられる一対の壁パネル本体（２）の端部間を、止水部材（４）により止水する壁パネルの止水構造であって、前記一対の壁パネル本体のうちの少なくとも一方の壁パネル本体の幅方向の端部に、裏側端部（５２）が表側端部（５１）よりも幅方向の内側に位置するように形成された止水部材収容端（５）を備え、前記壁パネル本体における前記止水部材収容端が形成されている側の端部に前記裏側端部よりも幅方向の外側に突出して縦部材（３ａ，３ｂ）が設けられ、前記止水部材は、前記止水部材収容端と前記縦部材との間に配設されて、前記止水部材が前記一対の壁パネル本体の各端部と前記縦部材とに圧着して前記一対の壁パネル本体の前記端部間を止水することを特徴とする。【選択図】図２
2018115495.tif 000002
【特許請求の範囲】
【請求項１】
隣接配置されて取り付けられる一対の壁パネル本体の端部間を、止水部材により止水する壁パネルの止水構造であって、
前記一対の壁パネル本体のうちの少なくとも一方の壁パネル本体の幅方向の端部に、裏側端部が表側端部よりも幅方向の内側に位置するように形成された止水部材収容端を備え、
前記壁パネル本体における前記止水部材収容端が形成されている側の端部に前記裏側端部よりも幅方向の外側に突出して縦部材が設けられ、
前記止水部材は、前記止水部材収容端と前記縦部材との間に配設されて、前記止水部材が前記一対の壁パネル本体の各端部と前記縦部材とに圧着して前記一対の壁パネル本体の前記端部間を止水することを特徴とする
壁パネルの止水構造。
【請求項２】
前記止水部材収容端は前記表側端部から前記裏側端部に向かってテーパー状に形成されている
請求項１に記載の壁パネルの止水構造。
【請求項３】
前記止水部材が弾性部材からなり、
前記止水部材は、前記止水部材収容端と前記縦部材との間に形成される隙間よりも厚さ方向の寸法が大きく、圧縮した状態で配置されている
請求項１または請求項２に記載の壁パネルの止水構造。
【請求項４】
前記止水部材が前記壁パネル本体に固定されている
請求項１から請求項３のいずれか一項に記載の壁パネルの止水構造。
【請求項５】
前記一対の壁パネル本体にそれぞれ前記止水部材収容端が形成され、
前記止水部材が一方の壁パネル本体の前記止水部材収容端に取り付けられ、
前記縦部材が他方の壁パネル本体の前記止水部材収容端に取り付けられている
請求項１から請求項４のいずれか一項に記載の壁パネルの止水構造。
【請求項６】
請求項１から請求項５のいずれか一項に記載の壁パネルの止水構造を用いた壁パネルの設置方法であって、
前記一対の壁パネル本体の幅方向の端部にそれぞれ前記縦部材が取り付けられており、
前記縦部材同士を係止する係止部材が前記一方の前記縦部材に設けられており、
建物の躯体に前記壁パネル本体を支持する支持体を設ける工程と、
一方の壁パネル本体を前記支持体に固定する工程と、
他方の壁パネル本体の前記縦部材が前記一方の壁パネル本体の前記縦部材に近接するように、前記他方の壁パネル本体を前記壁パネル本体の厚さ方向に移動させて前記他方の壁パネル本体を前記一方の壁パネル本体の隣に配置して前記支持体に固定し、前記一対の壁パネル本体のそれぞれの前記端部と前記縦部材とに前記止水部材が圧着して前記一対の壁パネル本体の前記端部間が止水される工程と、
を備えることを特徴とする壁パネルの設置方法。
【発明の詳細な説明】
【技術分野】
【０００１】
本発明は、屋内空間ユニットの仕切り面や壁面等に使用可能な壁パネルの止水構造及びこの壁パネルの止水構造を用いた壁パネルの設置方法に関する。
【背景技術】
【０００２】
浴室を構成する部品を予め工場で製造して、施工現場で各部品を組み立てて浴室を構築するユニットバスは、工期を短縮でき、且つ、品質を一定に保つことができるため、広く普及している。ユニットバス等に用いられる従来の壁パネルの例として、特許文献１及び２に記載されたものが提案されている。特許文献１及び２には、壁パネルの小口に凹形状のスペーサ収容部を形成し、隣接する壁パネルの端面同士の間にスペーサを介在させて両壁パネルを接合し、両壁パネルの端面間を止水するための目地が設けられている。
【先行技術文献】
【特許文献】
【０００３】
【特許文献１】特開２００４−３３９８８４号公報
【特許文献２】特開平６-２４０７８５号公報
【発明の概要】
【発明が解決しようとする課題】
【０００４】
特許文献１及び２の壁パネルでは、壁パネルの小口にスペーサを収容するスペースを確保する必要があり、壁パネルが厚くなる。このため、従来のユニットバスでは、壁パネルの裏面側の配管スペースが狭くなったり、配管スペースを確保しようとするとユニットバス内の有効スペースが減少するという問題がある。また、スペーサ収容部の加工が複雑であり、壁パネルの製作に手間が掛かる。
【０００５】
特許文献１及び２の壁パネルでは、部材間の継ぎ目からの漏水が懸念されるため、漏水を防ぐために壁パネルの幅方向の密結が必要である。また、小口間を被覆するため、壁パネル間の目地材が目立ち、外観上の改善が望まれていた。
【０００６】
さらに、ユニットバスは、施工現場において、限られた空間内にて壁パネルを取り付けるため、壁パネルを取り付ける作業の動線を確保する必要がある。特に、既存の浴室を新たな浴室に改装する場合、ユニットバスを設置する場所は建物の壁体、天井、及び床材に囲まれており、限られたスペースで組み立て作業を行う必要がある。特許文献１及び２の壁パネルは、壁パネルの小口間にスペーサを設けるため、隣接する壁パネル同士を幅方向から近付けて接合する必要がある。そのため、ユニットバスの改築作業では、壁パネルの設置が難しかった。
【０００７】
上記事情を踏まえ、本発明は、取り付け作業が行い易く、意匠性に優れた壁パネルの止水構造及び壁パネルの設置方法を提供することを目的とする。
【課題を解決するための手段】
【０００８】
本発明に係る壁パネルの止水構造は、隣接配置されて取り付けられる一対の壁パネル本体の端部間を、止水部材により止水する壁パネルの止水構造であって、前記一対の壁パネル本体のうちの少なくとも一方の壁パネル本体の幅方向の端部に、裏側端部が表側端部よりも幅方向の内側に位置するように形成された止水部材収容端を備え、前記壁パネル本体における前記止水部材収容端が形成されている側の端部に前記裏側端部よりも幅方向の外側に突出して縦部材が設けられ、前記止水部材は、前記止水部材収容端と前記縦部材との間に配設されて、前記止水部材が前記一対の壁パネル本体の各端部と前記縦部材とに圧着して前記一対の壁パネル本体の前記端部間を止水することを特徴とする。
【０００９】
この発明によれば、一対の壁パネル本体のうちの少なくとも一方の壁パネル本体の端部に止水部材収容端が設けられ、止水部材が止水部材収容端の表側端部の裏側に配置されて、止水部材が一対の壁パネル本体の各端部と縦部材とに圧着される構造を備えるので、止水部材が壁パネル本体の厚さ方向で圧着され、簡易な構成で止水機能を確保できる。また、小口内にスペーサ収容部を設ける従来の壁パネルに比べて、小口が簡易な構造となり壁パネル本体の製造が容易となる。加えて、従来の壁パネルに比べて壁パネル本体の厚さを薄くすることができるため、壁パネル本体の裏側の配管スペースを広く確保できる。あるいは、壁パネルの表側のスペースを広く確保できる。さらに、止水部材収容端は、表側端部より裏側端部が幅方向の内側に位置するように形成されているので、壁パネル本体を厚さ方向から支持体に取り付けることができるので、施工現場での設置作業が容易となる。
【００１０】
本発明に係る壁パネルの止水構造では、前記止水部材収容端は前記表側端部から前記裏側端部に向かってテーパー状に形成されていてもよい。
【００１１】
この発明によれば、止水部材収容端がテーパー状に形成されているので、止水部材収容端が簡易な構成となり壁パネル本体の製造が容易となる。また、壁パネル本体を取り付ける作業の際にテーパー面で止水部材を円滑に押圧できる。さらに、テーパー状の止水部材収容端の裏側に止水部材が配置できるので、壁パネル本体同士を接合した後に、止水部材を表側から目立たないように配置できる。
【００１２】
本発明に係る壁パネルの止水構造では、前記止水部材が弾性部材からなり、前記止水部材は、前記止水部材収容端と前記縦部材との間に形成される隙間よりも厚さ方向の寸法が大きく、圧縮した状態で配置されていてもよい。
【００１３】
この発明によれば、止水部材が止水部材収容端と縦部材との間に形成される隙間よりも厚さ方向の寸法が大きく、圧縮した状態で配置されているので、止水部材が圧縮されて止水部材収容端及び縦部材と圧着し、簡易な構成で壁パネル本体の厚さ方向の止水機能を確保できる。
【００１４】
本発明に係る壁パネルの止水構造では、前記止水部材が前記壁パネル本体に固定されていてもよい。
【００１５】
この発明によれば、止水部材が壁パネル本体に固定されているので、壁パネル本体の設置作業時に、止水部材を位置決めして取り付ける作業が不要となり、施工現場での作業が容易となる。また、止水部材収容端は、裏側端部が表側端部よりも幅方向の内側に位置するので、壁パネル本体に止水部材が取り付けられた状態でも、壁パネル本体を厚さ方向に移動させながら、隣接する壁パネル本体の端部に近接配置させることができる。したがって、限られた空間内で壁パネル本体と取り付ける場合でも、作業が容易となる。
【００１６】
本発明に係る壁パネルの止水構造では、前記一対の壁パネル本体にそれぞれ前記止水部材収容端が形成され、前記止水部材が一方の壁パネル本体の前記止水部材収容端に取り付けられ、前記縦部材が他方の壁パネル本体の前記止水部材収容端に取り付けられていてもよい。
【００１７】
この発明によれば、止水部材が一対の壁パネル本体のうちの一方の壁パネル本体の止水部材収容端に取り付けられ、縦部材が他方の壁パネル本体の止水部材収容端に取り付けられているので、施工現場で止水部材及び縦部材を位置決めして取り付ける作業が不要となり、施工現場での作業が容易となる。また、壁パネル本体の厚さ方向の寸法をさらに抑えることができる。
【００１８】
本発明に係る壁パネルの設置方法は、壁パネルの止水構造を用いた壁パネルの設置方法であって、前記一対の壁パネル本体の幅方向の端部にそれぞれ前記縦部材が取り付けられており、前記縦部材同士を係止する係止部材が前記一方の前記縦部材に設けられており、建物の躯体に前記壁パネル本体を支持する支持体を設ける工程と、一方の壁パネル本体を前記支持体に固定する工程と、他方の壁パネル本体の前記縦部材が前記一方の壁パネル本体の前記縦部材に近接するように、前記他方の壁パネル本体を前記壁パネル本体の厚さ方向に移動させて前記他方の壁パネル本体を前記一方の壁パネル本体の隣に配置して前記支持体に固定し、前記一対の壁パネル本体のそれぞれの前記端部と前記縦部材とに前記止水部材が圧着して前記一対の壁パネル本体の前記端部間が止水される工程と、を備えることを特徴とする。
【００１９】
この発明によれば、止水部材収容端は、支持体を設ける工程と、一方の壁パネル本体を支持体に固定する工程と、他方の壁パネル本体を壁パネル本体の厚さ方向に移動させて他方の壁パネル本体を一方の壁パネル本体の隣に配置して支持体に固定し、一対の壁パネル本体のそれぞれの端部と縦部材とに止水部材が圧着して一対の壁パネル本体の前記端部間が止水される工程とを備えるので、壁パネル本体を厚さ方向から所定の位置に配置して支持体に取り付けることができる。その結果、施工現場での壁パネル本体の設置作業が容易となる。また、止水部材が止水部材収容端の表側端部の裏側に配置されて、止水部材が止水部材収容端と縦部材とに圧着される構造であるので、壁パネル本体の厚さ方向で圧着されるので、簡易な構成で止水機能を確保できる。
【発明の効果】
【００２０】
本発明に係る排水栓によれば、取り付け作業が行い易く、意匠性に優れた壁パネルの止水構造及び壁パネルの設置方法を提供できる。
【図面の簡単な説明】
【００２１】
【図１】本発明の第一実施形態に係る壁パネルの止水構造を用いたユニットバスを上方から見た斜視図である。
【図２】本発明の第一実施形態に係る壁パネルの止水構造を示す断面図である。
【図３】本発明の第一実施形態の止水部材収容端の変形例を示す断面図である。
【図４】本発明の第一実施形態に係る壁パネルの設置方法を示す模式図である。
【図５】本発明の第一実施形態に係る壁パネルの設置方法を示す模式図である。
【図６】本発明の第一実施形態に係る壁パネルの止水構造の第一変形例の断面図である。
【図７】本発明の第一実施形態に係る壁パネルの止水構造の第二変形例の断面図である。
【図８】本発明の第一実施形態に係る壁パネルの止水構造の第三変形例の断面図である。
【図９】本発明の第一実施形態に係る壁パネルの止水構造の第四変形例の断面図である。
【図１０】本発明の第二実施形態に係る壁パネルの止水構造を示す断面図である。
【発明を実施するための形態】
【００２２】
（第一実施形態）
本発明の第一実施形態に係る壁パネルの止水構造について説明する。本実施形態に係る壁パネルの止水構造１は、隣接配置されて取り付けられる一対の壁パネル本体２ａ，２ｂの端部間を、止水部材４により止水する構造である。図１は、本実施形態に係る壁パネルの止水構造１を用いたユニットバス１００を上方から見た斜視図である。図２は、本実施形態に係る壁パネルの止水構造１を示す断面図である。図４は、本実施形態に係る壁パネルの設置方法を示す模式図である。
【００２３】
以下の説明において、壁パネルを構成する壁パネル本体２の正面視における左右方向（幅方向）を見付け方向と称し、壁パネル本体２の厚さ方向を見込み方向と称する場合がある。また、壁パネル本体２において、ユニットバス１００の内側Iに配置される面を表面２ｉと称し、反対側（外側Ｏ）に配置される面を裏面２ｏと称する場合がある。壁パネル本体２の幅方向の中央に向かう方向を見付け方向の内側と称し、幅方向の両端側を外側と称する場合がある。
【００２４】
図１に示すように、ユニットバス１００は、建物の躯体１０１内に組み立てて設置される。ユニットバス１００は、床部１０５と、複数の壁パネル本体２と、天井パネル（不図示）により空間が形成されている。
【００２５】
図４に示すように、床部１０５は、床パネル１０４と浴槽１０９とがエプロン１０６を介して接続されて構成されている。床パネル１０４は、支持枠６１に支持されて固定される。支持枠６１は、複数の脚部６２を備え、躯体の床面に載置される平面視矩形の部材である。浴槽１０９は、支持枠６１に並べて配置された支持フレーム（不図示）に支持、固定されている。床パネル１０４及び浴槽１０９の上端部には、それぞれ係合部６３を備える。床パネル１０４及び浴槽１０９の係合部６３は、床部１０５の周囲を囲むように設けられている。本実施形態では、係合部６３が壁パネル本体２の支持体６を構成する。図示は省略するが、例えば、係合部６３が凹部を有し、壁パネル本体２の下端面に凸部を有し、壁パネル本体２の凸部と係合部６３の凹部とが係合することにより支持体６に壁パネル本体２が支持される。なお、係合部６３と壁パネル本体２の下端面の凹凸形状は逆の関係であってもよい。複数の壁パネル本体２は、床部１０５の四辺に設けられた係合部６３に立設されてユニットバス１００の壁面を構成する。
【００２６】
図２に示すように、壁パネル本体２には、略四角形の中空の板状の芯材２１の一方の表面に防水性を有するシート状の表面材２２が被覆されている。芯材２１は、所定の厚みを有し、断熱性及び剛性を備えた適宜の材質のものを使用できる。このような芯材２１の一例として、樹脂やアルミニウム等からなるハニカム材や、発泡性樹脂からなる発泡材等を使用できる。芯材２１は必ずしも中空である必要は無く、例えば、石膏ボード等であってもよい。
【００２７】
表面材２２は、例えば、樹脂製やアルミニウム等の金属製のシートからなり、意匠性、防水性、及び耐久性を備える。表面材２２は芯材２１の表面２ｉのみならず、芯材２１の四辺の端部の見付け方向の側面にも表面２ｉから連続して被覆されている。芯材２１の他方の裏面２ｏは露出しているが、表面材２２と同様の封止材が被覆されていてもよい。
【００２８】
図２に示すように、壁パネル本体２の見付け方向の端部のうちの少なくとも一方に、止水部材収容端５が形成されている。本実施形態では、２枚の壁パネル本体２ａ，２ｂでユニットバス１００の一つの壁面を形成する。一つの壁面を形成する各壁パネル本体２の両端部のうち、壁パネル本体２ａ，２ｂ同士が接合する側の端部２３にそれぞれ止水部材収容端５が形成されている。
【００２９】
図２に示すように、止水部材収容端５は、裏側端部５２が表側端部５１よりも見付け方向の内側に位置するように形成されている。本実施形態では、止水部材収容端５は表側端部５１と裏側端部５２との間がテーパー状に形成されている。
【００３０】
止水部材収容端５は、壁パネル本体２の端部２３において、裏面２ｏ側に止水部材４が収容可能な空間が設けられ、且つ、壁パネル本体２の端部２３で止水部材４を見込み方向に表側から押圧可能となるように表側端部５１が裏側端部５２よりも外側に位置する構成であればよい。すなわち、止水部材収容端５は、壁パネル本体２の端部２３の裏面２ｏ側が切り欠かれたように形成され表側端部５１がオーバーハングした形態であればよい。止水部材収容端５の形態の他の例としては、図３に示すように、壁パネル本体２の端部２３の水平断面がＬ字型になるように厚さが薄くなる段部を端部２３の裏面２ｏ側に形成し、裏側端部５２が表側端部５１より内側に位置するように止水部材収容端５Ａを形成してもよい。この他、壁パネル本体２の端部２３の裏面２ｏ側の角部を斜めに切り欠いたような形状や、裏側端部から表側端部にかけて凹状または凸状の円弧面となるような形状の止水部材収容端を形成してもよい。
【００３１】
図２に示すように、縦部材３ａ，３ｂは壁パネル本体２の裏面２ｏに固定されている。縦部材３ａ，３ｂは、後述するように止水部材収容端５との間で止水部材４を挟むように受ける受け部材として機能する。この他、本実施形態では、縦部材３ａ，３ｂは、壁パネル本体２の熱による伸縮、反り、歪み等を抑制する補強部材としても機能し、且つ、壁パネル本体同士を連結する際に縦部材同士で連結することができる。
【００３２】
縦部材３ａ，３ｂは、角柱形状を有する。縦部材３ａ，３ｂは、例えば、芯材２１よりも強度が高い合成樹脂、スチールやアルミニウム等からなる。縦部材３ａ，３ｂは、壁パネル本体２の止水部材収容端５の裏側端部５２が縦部材３ａ，３ｂの見付け方向の中間部に位置するように配置されて壁パネル本体２の裏面２ｏに固定されている。したがって、縦部材３ａ，３ｂは、止水部材収容端５が形成されている端部２３の裏面２ｏに、一部が壁パネル本体２の裏側端部５２よりも見付け方向の外側に延出して固定されている。したがって、縦部材３ａ，３ｂと止水部材収容端５との間に隙間Ｓが形成される。他方の壁パネル本体２ｂに取り付けられる縦部材３ｂには、見付け方向の内側に突出する凸部３４が形成されている。
【００３３】
図２及び図５に示すように、一方の壁パネル本体２ａに設けられる縦部材３ａには嵌合部材７がネジで固定されている。嵌合部材７は、例えばスチールやアルミニウム等の金属製の板状の高強度部材を断面略Ｕ字状に折り曲げたように形成された部材である。図５に示すように、嵌合部材７は、縦部材３ａ，３ｂの裏面側に配置される平板部７０と、平板部７０の幅方向の一端部から平板部７０に対して略垂直に曲折し、一方の壁パネル本体２ａの縦部材３ａにネジで固定される固定端部７２と、他方の壁パネル本体２ｂの縦部材３ｂを挟むように固定する係止端部７１とを有する。係止端部７１は、平板部７０の固定端部７２とは反対側の端部から曲折して固定端部７２側に傾斜している。一方の壁パネル本体２ａの縦部材３ａに嵌合部材７が固定された状態で、縦部材３ａと係止端部７１との間には、他方の壁パネル本体２ｂの縦部材３ｂを収容可能な隙間が形成される。
【００３４】
係止端部７１はばね性を備え、図２に示すように、縦部材３ｂが配置された状態では、凸部３４は、係止端部７１と平板部７０との角部と係止端部７１との間に収容される。嵌合部材７は、隣り合う縦部材３ａ，３ｂが互いに接近する方向に力が加わるように構成されていればよい。嵌合部材７は、例えば、壁パネル本体２ａ，２ｂの高さと略等しい高さの長尺部材であってもよいし、短尺の部材を壁パネル本体２ａ，２ｂの高さ方向に複数設けてもよい。
【００３５】
止水部材４は、壁パネル本体２の高さ寸法に略等しい長さの長尺部材であり、長手方向に直交する断面形状が角丸形状であり、図２に示すように、長手方向に延びる中空部を備える。止水部材４は弾性材料からなる。
【００３６】
止水部材４は、一対の壁パネル本体２ａ，２ｂのうちのいずれか一方の壁パネル本体の止水部材収容端５に予め取り付けられている。本実施形態では、先に取り付けられる一方の壁パネル本体２ａの縦部材３ａと止水部材収容端５との間の隙間Ｓ内に、上端から下端まで止水部材４が配置されて、例えば、接着剤や両面テープ等公知の固定手段で縦部材３ａに固定されている。
【００３７】
次に、壁パネルの設置方法及び一対の壁パネル本体２ａ，２ｂの止水部材収容端５側の止水構造について説明する。
図２に示すように、見付け方向に隣接する一対の壁パネル本体２ａ，２ｂは、隣り合う端部２３，２３にそれぞれ止水部材収容端５，５が形成されている。一対の壁パネル本体２ａ，２ｂは、止水部材収容端５，５同士が隣接配置される。
【００３８】
まず、壁パネル本体２を支持する支持体６を建物の躯体に設ける工程を行う。本実施形態では、床パネル１０４及び浴槽１０９の上端部にそれぞれ設けられた係合部６３が支持体６である。係合部６３は、予め床パネル１０４及び浴槽１０９にそれぞれ形成されているので、本実施形態では、床部１０５を設けることにより、支持体６が躯体に設置される。まず、建物の床面または床スラブ上に支持枠６１を載置する。続いて、支持枠６１上に並べて配置された支持フレーム上に床パネル１０４及び浴槽１０９を載置して取り付け、エプロン１０６を浴槽１０９の側面を覆うように配置して、床パネル１０４と浴槽１０９との間をエプロン１０６で連結すると床部１０５の設置が完了する。
【００３９】
続いて、複数の壁パネル本体２を支持体６に取り付ける工程を行う。複数の壁パネル本体２は、出入口となるドア（不図示）に隣接する壁パネル本体２ｃ（図１参照）の一つから順に取り付ける。止水部材を設ける一対の壁パネル本体２ａ，２ｂは、一方の壁パネル本体２ａを支持体６に取り付ける工程を先に行う。支持体６上に、一方の壁パネル本体２ａを載置する。係合部６３に壁パネル本体２の下端部を載置して係合させる。例えば、係合部６３に形成された凹部（不図示）に壁パネル本体２の下端面に形成された凸部（不図示）を挿入して係合させる。本実施形態に係る壁パネル本体２は軽量な芯材２１からなるので、床パネル１０４の係合部６３に壁パネル本体２を載置して係合させることにより、壁パネル本体２は床パネル１０４に仮支持可能である。あるいは、２つの壁パネル本体２，２の間にヒンジ部が設けられて略直角に折り曲げられた水平断面がＬ字状の壁パネル本体ユニットを用い、床パネル１０４及び浴槽１０９のコーナーを含む上部に壁パネル本体ユニットを載置して係合部６３に係合させることにより、壁パネル本体ユニットが支持体６上に仮支持させる構成としてもよい。
【００４０】
次に、一対の壁パネル本体２ａ，２ｂのうちの他方の壁パネル本体２ｂを支持体６に固定する工程を行う。図４及び図５に示すように、他方の壁パネル本体２ｂの縦部材３ｂが一方の壁パネル本体２ａの縦部材３ａに近接するように、他方の壁パネル本体２ｂを見込み方向（厚さ方向）に移動させて他方の壁パネル本体２ｂを一方の壁パネル本体２ａの隣に配置して支持体６に固定する。具体的には、他方の壁パネル本体２ｂを一方の壁パネル本体２ａの隣であって、支持体６の係合部６３上に配置する。このとき、嵌合部材７の係止端部７１が他方の縦部材３ｂの凸部３４に接触して他方の壁パネル本体２ｂの見付け方向内側に撓み、凸部３４が係止端部７１を乗り越えて外側Ｏに押し込まれ、凸部３４が係止端部７１と平板部７０との間の鋭角な角部近傍に収容される。このようにして、係止端部７１に他方の壁パネル本体２ｂの縦部材３ｂが嵌合される。他方の壁パネル本体２ｂが支持体６の係合部６３に固定されると、他方の壁パネル本体２ｂの止水部材収容端５が止水部材４を押圧して止水部材４を圧縮し、一対の壁パネル本体２ａ，２ｂの各止水部材収容端５，５と各縦部材３ａ，３ｂとに止水部材４が圧着される。これにより壁パネル本体管が止水できる。また、全ての壁パネル本体２が設置された状態で天井パネルが取り付けられて、複数の壁パネル本体２が固定され、ユニットバス空間をつくることができる。
【００４１】
一対の壁パネル本体２ａ，２ｂを支持体に取り付けた後は、図２に示すように、一対の壁パネル本体２ａ，２ｂの各止水部材収容端５の表側端部５１同士の間は見付け方向にわずかに離間している。止水部材４は、一対の壁パネル本体２ａ，２ｂの表側端部５１に大部分が覆われて、ユニットバス１００の内側Ｉから目立たないように設けることができる。
【００４２】
止水部材４が壁パネル本体２に取り付けられたとき、左右方向及び厚み方向において、止水部材４の寸法は、縦部材３ａ，３ｂと止水部材収容端５との間の隙間Ｓよりも少し大きい。止水部材収容端５はテーパー状に形成されているので、隙間Ｓに配設された止水部材４は、止水部材収容端５，５の各テーパー面に押圧され、左右方向及び厚み方向から力を受けて圧縮してテーパー面と密着することにより、壁パネル本体２の内外が止水される。
【００４３】
以上、本発明の実施形態について図面を参照して詳述したが、具体的な構成はこの実施形態に限られるものではなく、本発明の要旨を逸脱しない範囲の設計変更等も含まれる。
また、上述の各実施形態及び各変形例において示した構成要素は適宜に組み合わせて構成することが可能である。以下に、本発明の変形例等について説明するが、上述した実施形態で説明した部品や部材等と同一または同様なものについては同一の符号を用いて説明を省略する。
【００４４】
次に、図６から図９に壁パネルの止水構造の変形例を示す。図６から図９に示す変形例では、嵌合部材７の記載を省略しており、止水部材４Ａが止水部材収容端５に押圧される前の状態を示すため、壁パネル本体２ａ，２ｂを仮想線で示している。
【００４５】
図６に第一変形例の壁パネルの止水構造１Ａを示す。第一変形例の止水部材４Ａは、長手方向に直交する断面形状が円形の止水部本体４１と平板状の固定部４２とを備え、止水部本体４１と固定部４２とが接続部４３を介して接続されている。止水部本体４１、固定部４２及び接続部４３は一体に形成されている。固定部４２は一方の縦部材３ａに固定される。図６に示すように、壁パネル本体２に縦部材３ａが固定された状態において、止水部材４Ａの厚み方向及び左右方向の寸法は止水部材収容端５の表側端部５１と縦部材３ａ，３ｂとの間の隙間Ｓよりも大きい。このため、止水部本体４１が止水部材収容端５側から固定部４２側に押圧され、図６に示す状態から圧縮される。この結果、上記実施形態と同様に止水部材４Ａは、止水部材収容端５と密着し、止水部材４Ａにより、壁パネル本体２ａ，２ｂと縦部材３ａ，３ｂとが見込み方向から力を受けて圧着されて止水される。本変形例の場合、一方の壁パネル本体２ａ設置後に取り付ける他方の壁パネル本体２ｂの縦部材３ｂに固定部４２を固定し、他方の壁パネル本体２ｂを厚み方向に近付けて取り付けると、他方の壁パネル本体２ｂを設置する時に止水部材４Ａが妨げとならずより円滑に施工することができる。
【００４６】
あるいは、止水部材４Ａを縦部材３ａに固定し、先に一対の縦部材３ａ，３ｂを支持体６に取り付けた後、一対の壁パネル本体２ａ，２ｂを縦部材３ａ，３ｂに取り付けることも可能である。例えば、縦部材が躯体に直接取り付けられる公知の枠体である場合、一対の壁パネル本体２ａ，２ｂは取り付ける順序の制約が無い。
【００４７】
図７に第二変形例の壁パネルの止水構造１Ｂを示す。第二変形例の止水部材４Ｂは、断面矩形の止水部本体４１と、止水部本体４１の外周の一面から鉛直に延びる平板状の固定部４２とを有する例である。止水部本体４１と固定部４２とは一体に形成されている。固定部４２の一方の面に突起４５が設けられ、突起４５を一方の縦部材３ａに形成された凹部３３１に係合させることにより、縦部材３ａに対して止水部材４Ｂを位置決めできる。この状態で固定部４２を一方の縦部材３ａに接着剤で固定する。この他、例えば、固定部４２は隣接する２つの縦部材３ａ,３ｂに見付け方向から貫通するビス（不図示）により固定されてもよい。
【００４８】
本変形例の場合、止水部材４Ｂが取り付けられている一方の壁パネル本体２ａ設置後に、他方の壁パネル本体２ｂの縦部材３ｂを厚み方向に近付けて他方の壁パネル本体２ｂを設置する。このとき、他方の縦部材３ｂに止水部材４Ｂが押されるが、止水部材４Ｂは突起４５が凹部３３１で係合した状態で接着固定されているので、止水部材４Ｂが縦部材３ｂから外れることなく円滑に施工することができる。
【００４９】
本変形例の壁パネルの止水構造１Ｂでは、固定部４２は隣接する縦部材３ａ，３ｂ間に挟まれて固定されているので、縦部材３ａ，３ｂよりも外側Ｏへの防水性も確保できる。また、止水部本体４１の寸法は、壁パネル本体２ａ，２ｂの止水部材収容端５，５間の隙間Ｓの大きさよりも大きい。そのため、壁パネル本体２ａ，２ｂが設置されると、止水部本体４１が止水部材収容端５，５に押圧されて圧縮する。この結果、上記実施形態と同様に、止水部材４Ｂが止水部材収容端５，５と密着し、壁パネル本体２ａ，２ｂと縦部材３ａ，３ｂとは見込み方向から力を受けて圧着されて止水されるので、簡易な構成ながら、止水部材を緊締しなくても防水性を確保できる。
【００５０】
あるいは、本変形例のように、止水部材４Ｂを縦部材３ａ，３ｂに固定する構成により、先に一対の縦部材３ａ，３ｂを支持体６に取り付けた後、一対の壁パネル本体２ａ，２ｂを縦部材３ａ，３ｂに取り付けることも可能である。この場合、一対の壁パネル本体２ａ，２ｂは取り付ける順序の制約が無い。
【００５１】
図８に第三変形例の壁パネルの止水構造１Ｃを示す。第三変形例の止水部材４Ｃは、第一変形例の止水部材４Ａに羽根部４４，４４をさらに備える。羽根部４４，４４は、接続部４３あるいは固定部４２から止水部本体４１と固定部４２との間に向かって傾斜して突出する。このような止水部材４Ｃとすると、第一変形例と同様の止水効果が得られる。さらに、本変形例の止水部材４Ｃは、止水部本体４１及び羽根部４４が止水部材収容端５，５に圧着するので、止水部本体４１に加えて羽根部４４でも止水することが可能となり、防水性を高めることができる。
【００５２】
次に、図９に第四変形例の壁パネルの止水構造１Ｄを示す。上記実施形態では、縦部材３ａ，３ｂが止水部材４の受け部材としての機能と補強部材としての機能とを兼ね備える例を示したが、本変形例の壁パネルの止水構造１Ｄでは、壁パネル本体２ａ，２ｂを補強する部材として機能する縦部材３ｂとは別に止水部材を受ける受け部材として機能する縦部材３Ｄを設けている。本変形例の縦部材３Ｄは、水平方向の断面形状がＬ字の長尺部材である。本変形例では、上記実施形態の嵌合部材７を備えず、断面Ｌ字状の縦部材３Ｄの一方の面が一方の壁パネル本体２ａの裏面２ｏに固定され、他方の縦部材３ｂが他方の壁パネル本体２ｂの裏面２ｏに固定される。縦部材３Ｄの角部（出隅部）は、止水部材収容端５の裏側端部５２よりも見付け方向外側に位置するように固定されており、縦部材３Ｄと止水部材収容端５との間に隙間Ｓが形成される。この場合、一方の壁パネル本体２ａには、補強部材としての不図示の縦部材が裏面２ｏの他の箇所に固定される。本変形例の止水部材４Ｄは、第二変形例の止水部材４Ｂと同様の固定部４２が止水部材４Ｄを受ける機能としての縦部材３Ｄと縦部材３ｂとの間に挟持されて固定される。
【００５３】
本変形例によれば、上記実施形態と同様に、止水部材４Ｄが止水部材収容端５，５と密着し、壁パネル本体２ａ，２ｂと縦部材３ｂ，３Ｄとは止水部材４Ｄにより見込み方向から力を受けて圧着されて止水され、簡易な構成ながら防水性を確保できる。なお、受け部材としての縦部材の構成は本変形例に示す形態に限定されるものではなく、止水部材あるいは止水部本体が止水部材収容端５から押圧された場合に、外側Ｏにおいて止水部材あるいは止水部本体に当接する受け面が、壁パネル本体２の裏面２ｏに対して当接あるいは固定される構成を備えればよい。
【００５４】
上記実施形態に係る壁パネルの止水構造１によれば、一対の壁パネル本体２ａ，２ｂの端部２３に止水部材収容端５が設けられ、止水部材４が止水部材収容端５の表側端部５１の裏側に配置されて、止水部材４が止水部材収容端５と縦部材３ａ，３ｂとに圧着される構造を備えるので、止水部材４が壁パネル本体２ａ，２ｂの見込み方向から力を受けて圧着されて止水され、簡易な構成ながら、止水部材４を緊締しなくても防水性を確保できる。また、小口の見込み方向の中央部の面内に溝状のスペーサ収容部を設ける従来の壁パネルに比べて、小口が簡易な構造となり壁パネル本体の製造が容易となる。加えて、従来の壁パネルに比べて壁パネル本体の厚さを薄くすることができるため、壁パネル本体２の裏側の配管スペースを広く確保できる。さらに、止水部材収容端５は、表側端部５１より裏側端部５２が見付け方向の内側に位置するように形成されているので、壁パネル本体２を見込み方向から移動させて支持体６に取り付けることができるので、施工現場での設置作業が容易となる。さらに、止水部材４が止水部材収容端５の裏面側に配置されるので、ユニットバス１００の内側Iから止水部材４が目立たないように止水部材４を設けることができる。
【００５５】
上記実施形態に係る壁パネルの止水構造１によれば、止水部材収容端５がテーパー状に形成されているので、止水部材収容端５が簡易な構成となり壁パネル本体２の製造が容易となる。また、壁パネル本体２を取り付ける作業の際にテーパー面で止水部材４を円滑に押圧できる。さらに、テーパー状の止水部材収容端５の裏側に止水部材４が配置できるので、壁パネル本体２ａ，２ｂ同士を接合した状態で表側から目立たないように止水部材４を設けることができる。
【００５６】
上記実施形態に係る壁パネルの止水構造１によれば、壁パネル本体２が支持体６に取り付けられた時に、止水部材収容端５と縦部材３ａ，３ｂとの間に形成される隙間Ｓよりも見込み方向の寸法が大きい止水部材４が圧縮されて止水部材収容端５と縦部材３ａ，３ｂと圧着するので、簡易な構成で止水機能を確保できる。
【００５７】
上記実施形態に係る壁パネルの止水構造１によれば、止水部材４が一方の壁パネル本体２ａに固定されているので、壁パネル本体２の設置作業時に、止水部材４を位置決めして取り付ける作業が不要となり、施工現場での作業が容易となる。また、止水部材収容端５は、裏側端部５２が表側端部５１よりも見付け方向の内側に位置するので、一方の壁パネル本体２ａに止水部材４が取り付けられた状態でも、他方の壁パネル本体２ｂを見込み方向に移動させて支持体６に設置することができる。
【００５８】
上記実施形態に係る壁パネルの設置方法によれば、止水部材収容端５は、支持体６を設置する工程と、一方の壁パネル本体２ａを支持体６に取り付ける工程と、他方の壁パネル本体２ｂを壁パネル本体２の見込み方向に移動させて支持体６に取り付けて止水部材収容端５と縦部材３ａ，３ｂとに止水部材４を圧着させる工程とを備える。そのため、壁パネル本体２を見込み方向に移動させて支持体６に取り付けることができるので、施工現場での壁パネル本体２の設置作業が容易となる。また、止水部材４が止水部材収容端５の表側端部５１の裏側に配置されて、止水部材４が止水部材収容端５と縦部材３ａ，３ｂとに圧着される構造であるので、止水部材４が縦部材３ａ，３ｂと止水部材収容端５との、壁パネル本体２の見込み方向から力を受けて圧着されるので、簡易な構成で止水機能を確保できる。
【００５９】
上記実施形態に係る壁パネルの止水構造によれば、各止水部材収容端５の表側端部５１，５１間の間隔が狭く、且つ、各止水部材収容端５のテーパー面に止水部材４が圧着されているため、隙間Ｓ内への水の侵入を防ぎやすく、且つ、外観上止水部材４が目立たず、意匠性を高める効果が得られる。
【００６０】
（第二実施形態）
次に、第二実施形態に係る壁パネルの止水構造１Ｅを図１０に示す。本実施形態では、止水部材及び縦部材が第一実施形態と異なる。止水部材４Ｅは、水平方向の断面形状が円形の止水部本体４１と平板状の固定部４２とが接続部４３を介して接続されている。止水部本体４１、固定部４２及び接続部４３は一体に形成されている。
【００６１】
縦部材３Ｅは、水平方向の断面形状がＣ字形状の受け部３１と平板状の固定部３２とが接続部３３を介して接続された部材である。縦部材３Ｅは、アルミニウム型材からなり、壁パネル本体２の高さと略等しい寸法の長尺部材である。
【００６２】
一対の壁パネル本体２ａ，２ｂには、隣り合う端部２３，２３にそれぞれ第一実施形態と同様のテーパー状の止水部材収容端５，５を備える。縦部材３Ｅは、固定部３２が一方の壁パネル本体２ａの止水部材収容端５に固定されている。縦部材３Ｅは、一方の壁パネル本体２ａに固定された状態において、Ｃ字状の受け部３１の開口が壁パネル本体２の表側に向かって開口している。止水部材４Ｅの固定部４２は他方の壁パネル本体２ｂの止水部材収容端５に固定されている。
【００６３】
本実施形態では、縦部材３Ｅが固定された一方の壁パネル本体２ａを先に支持体６に固定し、次に、止水部材４Ｅが固定された他方の壁パネル本体２ｂを、見込み方向に移動させて支持体６に取り付ける。このとき、受け部３１に止水部材４Ｅの止水部本体４１が嵌入し、止水部材４Ｅは、止水部材収容端５で押圧されて縦部材３Ｅに圧着される。
【００６４】
上記実施形態に係る壁パネルの止水構造１Ｅによれば、止水部材４Ｅが一対の壁パネル本体２ａ，２ｂのうちの一方の壁パネル本体２ａに取り付けられ、縦部材３Ｅが他方の壁パネル本体２ｂに取り付けられているので、施工現場で止水部材４Ｅ及び縦部材３Ｅを位置決めして取り付ける作業が不要となり、施工現場での作業が容易となる。
【００６５】
上記実施形態に係る壁パネルの止水構造１Ｅによれば、第一実施形態と同様に、簡易な構成で防水機能を確保できる。また、小口の見込み方向の中央部の面内に溝状のスペーサ収容部を設ける従来の壁パネルに比べて、小口が簡易な構造となり壁パネル本体の製造が容易となる。加えて、従来の壁パネルに比べて壁パネル本体の厚さを薄くすることができるため、壁パネル本体２の裏側の配管スペースを広く確保できる。
【００６６】
さらに、本実施形態に係る壁パネルの止水構造１Ｅによれば、止水部材４Ｅ及び縦部材３Ｅを一対の壁パネル本体２ａ，２ｂの止水部材収容端５，５にそれぞれ固定し、且つ止水部材収容端５，５の間に収めることができるので、壁パネルの止水構造を簡易且つコンパクトにすることができる。
【００６７】
第一及び第二実施形態では、２つの壁パネル本体２でユニットバス１００の１つの壁面を構成する例を挙げたので、壁パネル本体２の見付け方向の一方の端部２３のみに止水部材収容端５を設ける例を示したが、例えば、３つ以上の壁パネル本体を連結する場合は、壁パネル本体の見付け方向の両端部に止水部材収容端を設ける構成であってもよい。
【００６８】
第一及び第二実施形態では、一対の壁パネル本体の隣接する端部にそれぞれ止水部材収容端が形成されている例を示したが、壁パネル本体を見込み方向から取り付ける目的においては、止水部材収容端は、少なくとも一方の端部に設けられていればよい。例えば、一方の壁パネル本体の端部に止水部材収容端を備え、止水部材収容端の裏側の隙間に止水部材が収容され、止水部材は、止水部材収容端の裏面と、止水部材収容端が設けられていない他方の壁パネル本体の端面とに密着する構成であってもよい。
【００６９】
第一及び第二実施形態では、止水部材に中空部を有する例を示したが、中空部は止水部材の必須の構成ではなく、止水部材は外力により圧縮あるいは弾性変形可能な構成であればよい。例えば、弾性部材からなり、水平方向の断面形状が略Ｃ字状やＵ字状となる羽根状部を有する止水部材や、高圧縮性の発泡材からなる止水部材であってもよい。
【００７０】
第一及び第二実施形態では、壁パネルの設置方法において、止水部材を取り付けた壁パネル本体を先に支持体に固定し、次に、止水部材を取り付けていない壁パネル本体を支持体に固定する例を示したが、壁パネル本体の固定順序はこれに限定されない。本発明に係る壁パネルの設置方法は、例えば、先に止水部材を縦部材に取り付けた後、壁パネル本体を順次取り付ける構成も可能である。
【００７１】
上記実施形態では、支持体６が床部１０５の周縁に設けられた係合部である例を示したが、支持体６はこれに限定されない。支持体は、例えば、水平方向に延在する上枠及び下枠と、上下方向に延在して上枠と下枠とをそれぞれ連結する縦枠とからなる公知の枠体を採用してもよい。この場合、縦枠が縦部材（受け部材）として機能し、止水部材収容端との間で止水部材を挟むように構成してもよい。
【００７２】
上記実施形態では、浴槽１０９の外側の壁パネル本体２は浴槽１０９の上部側面に下端部が位置するが、床パネル１０４を浴槽１０９の下まで設け、浴槽１０９が床パネル１０４上に載置される場合には、浴槽１０９近傍の壁パネル本体２は、浴槽１０９の下方まで延びていてもよい。
【００７３】
上記実施形態では、隣接する壁パネル本体２ａ，２ｂの隣り合う端部にそれぞれ止水部材収容端５，５を形成する例を示したが、隣り合う端部の少なくとも一方に止水部材収容端を形成してもよい。このように、隣り合う端部の少なくとも一方に止水部材収容端を形成し、止水部材収容端と縦部材との間の隙間に止水部材を配置することにより、上記実施形態と同様の効果を奏する。
【符号の説明】
【００７４】
１，１Ｂ，１Ｃ，１Ｄ，１Ｅ  壁パネルの止水構造
２，２ａ，２ｂ  壁パネル本体
３ａ，３ｂ，３Ｄ  縦部材
４，４Ａ，４Ｂ，４Ｃ，４Ｄ，４Ｅ  止水部材
５，５Ａ  止水部材収容端
６  支持体
５１  表側端部
５２  裏側端部
【図１】
2018115495.tif 000003
【図２】
2018115495.tif 000004
【図３】
2018115495.tif 000005
【図４】
2018115495.tif 000006
【図５】
2018115495.tif 000007
【図６】
2018115495.tif 000008
【図７】
2018115495.tif 000009
【図８】
2018115495.tif 000010
【図９】
2018115495.tif 000011
【図１０】
2018115495.tif 000012